(57)【要約】【課題】撮影方向を細かく設定でき、また、撮影対象の位置に関わらず、ユーザに負担をかけることなく音声通話と映像通信を行うことができ、使い勝手の良いマイクセットを提供する。【解決手段】マイクセットを構成する小型カメラ一体型マイク３は、フレキシブルアーム６及び中継部材４を介して首掛けバンド１に装着され、２つのマイク部１０、１１とカメラ部１２を備えており、マイク部１０または１１により作業者が発する音声を入力し、カメラ部１２により作業者の周囲の状況や作業者の顔の撮影を行う。作業者が作業現場の状況を撮影しながら自分の音声を入力する場合は、カメラ部１２を作業者の顔とは反対側に向けた状態で撮影を行い、作業現場の状況をマイク部１１から音声で入力する。これにより、作業者は作業センターとの間で映像通信を行いながら音声通話を行うことができる。【選択図】      図１
2004356743.tif 000002
【特許請求の範囲】
【請求項１】
ユーザの身体に装着され、前記ユーザの音声を入力するマイクセットであって、
前記ユーザの身体に装着される装着手段と、
前記マイクセットの周囲の音および前記ユーザが発した音声を入力するマイクと、
前記装着手段に設けられ、前記マイクを保持する保持手段と、
前記マイクと共に前記保持手段に保持され、前記ユーザの顔を撮像する回転角度と前記ユーザの顔以外の前記マイクセットの周囲を撮像する回転角度とを持つように所定の回転軸を中心に回転可能なカメラと
を有するマイクセット。
【請求項２】
前記保持手段は、前記ユーザの身体に前記装着手段が装着された状態で、前記カメラが前記回転軸を中心とした何れの回転角度にある場合でも、前記マイクが前記ユーザ側に位置するように、前記マイクを保持する
請求項１に記載のマイクセット。
【請求項３】
前記保持手段は、可撓性を有する曲げ伸ばし可能な部材により構成されている
請求項２に記載のマイクセット。
【請求項４】
前記マイクから入力された音声及び前記カメラにより撮影した映像を外部に送信し、外部から送信された音声を受信する送受信手段と、該送受信手段により受信した音声を出力する音声出力手段とを有する
請求項１に記載のマイクセット。
【請求項５】
前記マイクと前記カメラは、一体化された状態で設けられると共に、前記マイクは、前記カメラの撮影レンズ側と背面側とにそれぞれ対応して設けられている
請求項１に記載のマイクセット。
【請求項６】
前記マイクと前記カメラは、それぞれ独立した状態で設けられると共に、それぞれ独立して前記回転軸を中心に回転可能である
請求項１に記載のマイクセット。
【請求項７】
前記マイクと前記カメラは、一体化された状態で設けられると共に、前記マイクは、前記カメラの撮影レンズ側と背面側とにそれぞれ対応して設けられ、前記カメラの背面側には、モニタが設けられている
請求項１に記載のマイクセット。
【請求項８】
前記マイクと前記カメラは、それぞれ独立した状態で設けられると共に、それぞれ独立して前記回転軸を中心に回転可能であり、前記カメラの背面側には、モニタが設けられている
請求項１に記載のマイクセット。
【発明の詳細な説明】
【０００１】
【発明の属する技術分野】
本発明は、音声通話と映像通信が可能な構造を有するマイクセットに関する。
【０００２】
【従来の技術】
従来、工場等の現場で巡回点検等を行う作業者が装着するヘルメットの構造に関する提案がなされている（例えば、特許文献１参照）。この従来技術は、ヘルメットにビデオカメラとマイクロホンを搭載し、ヘルメットを装着した作業者が現場の状況をビデオカメラで撮影すると共にマイクロホンから音声を入力し、ビデオ信号と音声信号を指令所に送信するようにしたものである。
【特許文献１】
特開平９−９８３９５号公報
【０００３】
【発明が解決しようとする課題】
上記の従来技術においては、ヘルメットにビデオカメラを搭載した構造であるため、現場内の作業者が向いている方向をビデオカメラで撮影することはできるが、作業者の顔を撮像することはできない。
しかしながら、指令所の指令官が、現場内の画像をモニタで見る他、作業者の顔をモニタで見ながら会話を行いたい場合もある。このような要請は、例えば、インターネット電話などに用いる場合にもある。
また、作業者が向いている方向以外の方向をビデオカメラ撮像したいという要請もある。
【０００４】
本発明は、上記課題を解決するもので、マイクセットの周囲の他、マイクセットを装着したユーザの顔も撮像できるマイクセットを提供することを目的とする。
また、本発明は、ユーザが向いている方向以外の方向を撮像できるマイクセットを提供することを目的とする。
【０００５】
【課題を解決するための手段】
請求項１の発明は、ユーザの身体に装着され、前記ユーザの音声を入力するマイクセットであって、前記ユーザの身体に装着される装着手段と、前記マイクセットの周囲の音および前記ユーザが発した音声を入力するマイクと、前記装着手段に設けられ、前記マイクを保持する保持手段と、前記マイクと共に前記保持手段に保持され、前記ユーザの顔を撮像する回転角度と前記ユーザの顔以外の前記マイクセットの周囲を撮像する回転角度とを持つように所定の回転軸を中心に回転可能なカメラとを有することを特徴とする。
【０００６】
請求項１の発明によれば、マイクセットの周囲の他、マイクセットを装着したユーザの顔も撮像できると共に、ユーザが向いている方向以外も撮像できる。
【０００７】
請求項２の発明は、前記保持手段は、前記ユーザの身体に前記装着手段が装着された状態で、前記カメラが前記回転軸を中心とした何れの回転角度にある場合でも、前記マイクが前記ユーザ側に位置するように、前記マイクを保持することを特徴とする。
【０００８】
請求項２の発明によれば、カメラが回転軸を中心とした何れの回転角度にあっても、マイクはユーザ側に位置するように保持手段に保持されるため、ユーザはカメラで撮影を行いながらマイクから音声を入力できる。
【０００９】
請求項３の発明は、前記保持手段は、可撓性を有する曲げ伸ばし可能な部材により構成されていることを特徴とする。
【００１０】
請求項３の発明によれば、マイク及びカメラは可撓性を有する曲げ伸ばし可能な保持手段に保持されるため、マイク及びカメラの位置や方向を自在に設定できる。
【００１１】
請求項４の発明は、前記マイクから入力された音声及び前記カメラにより撮影した映像を外部に送信し、外部から送信された音声を受信する送受信手段と、該送受信手段により受信した音声を出力する音声出力手段とを有することを特徴とする。
【００１２】
請求項４の発明によれば、ユーザがマイクから入力した音声とカメラで撮影した映像が送受信手段により外部に送信され、外部から送信された音声が送受信手段により受信され、音声出力手段により出力されるため、ユーザは外部との間で映像通信及び音声通話ができる。
【００１３】
請求項５の発明は、前記マイクと前記カメラは、一体化された状態で設けられると共に、前記マイクは、前記カメラの撮影レンズ側と背面側とにそれぞれ対応して設けられていることを特徴とする。
【００１４】
請求項５の発明によれば、マイクとカメラは一体化され、マイクはカメラの撮影レンズ側と背面側とにそれぞれ対応して設けられているため、ユーザはカメラの撮影方向に関わらずマイクから音声を入力できる。
【００１５】
請求項６の発明は、前記マイクと前記カメラは、それぞれ独立した状態で設けられると共に、それぞれ独立して前記回転軸を中心に回転可能であることを特徴とする。
【００１６】
請求項６の発明によれば、マイクとカメラはそれぞれ独立に設けられ、それぞれ独立して回転軸を中心に回転可能なため、ユーザはカメラの撮影方向に関わらずマイクから音声を入力できる。
【００１７】
請求項７の発明は、前記マイクと前記カメラは、一体化された状態で設けられると共に、前記マイクは、前記カメラの撮影レンズ側と背面側とにそれぞれ対応して設けられ、前記カメラの背面側には、モニタが設けられていることを特徴とする。
【００１８】
請求項７の発明によれば、マイクとカメラは一体化され、マイクはカメラの撮影レンズ側と背面側とにそれぞれ対応して設けられ、カメラの背面側にモニタが設けられているため、ユーザはカメラの撮影方向に関わらずマイクから音声を入力できると共に、モニタで映像を確認しながら撮影が可能となる。
【００１９】
請求項８の発明は、前記マイクと前記カメラは、それぞれ独立した状態で設けられると共に、それぞれ独立して前記回転軸を中心に回転可能であり、前記カメラの背面側には、モニタが設けられていることを特徴とする。
【００２０】
請求項８の発明によれば、マイクとカメラはそれぞれ独立に設けられ、それぞれ独立して回転軸を中心に回転可能で、カメラの背面側にモニタが設けられているため、ユーザはカメラの撮影方向に関わらずマイクから音声を入力できると共に、モニタで映像を確認しながら撮影が可能となる。
【００２１】
【発明の実施の形態】
以下、本発明の実施の形態を図面に基づき説明する。
なお、以下に示す実施の形態におけるマイクセットの使用形態（用途）は一例であり、本発明の使用形態は、これらに限定されるものではない。
【００２２】
第１の実施の形態
第１の実施の形態は、請求項１〜請求項５に対応する。
【００２３】
図１は第１の実施の形態のマイクセットの全体構成を示す図である。マイクセットは、例えば各種工場或いは建設工事の作業現場などにおいて、作業者が首に装着して使用するものであり、音声通話と映像通信の両方が可能に構成されている。マイクセットは、首掛けバンド１に、イヤホン２、小型カメラ一体型マイク３、送受信機５等が配設された構造となっている。なお、各実施の形態では、マイクセットを各種工場或いは建設工事の作業現場などにおいて使用する場合を説明するが、マイクセットの使用形態はこれに限るものではない。
【００２４】
マイクセットの構造を詳細に説明すると、首掛けバンド１（本発明の装着手段）は、湾曲した形状を有しており、作業者の首に装着される。首掛けバンド１の一方の端部には、中継部材４が装着されている。
中継部材４には、コード７を介してイヤホン２が取り付けられていると共に、先端側に小型カメラ一体型マイク３を備えたフレキシブルアーム６（本発明の保持手段）の基端側が取り付けられている。
また、中継部材４には、コード８を介して送受信機５が接続されている。フレキシブルアーム６は、先端に設けられたカメラが作業者自身の顔を撮像可能な距離を確保できる長さを有しており、撓性を有する曲げ伸ばし可能な部材により構成されている。これにより、フレキシブルアーム６を介して小型カメラ一体型マイク３を任意の方向に向けることが可能となっている。
【００２５】
小型カメラ一体型マイク３は、図２に示すように、２つのマイク部１０、１１（本発明のマイク）とカメラ部１２（本発明のカメラ）を備えており、マイク部１０または１１により作業者が発する音声を入力し、カメラ部１２により作業者の周囲の状況や作業者の顔の撮影を行う。小型カメラ一体型マイク３の詳細は後述する。送受信機５は、例えば作業センター（作業事務所）等に設置された通信装置９と無線による信号の送受信を行うものであり、作業服のポケットやベルト等に装着される。
【００２６】
小型カメラ一体型マイク３のマイク部１０または１１から入力された音声信号、及びカメラ部１２による撮影に伴う映像信号は、フレキシブルアーム６内の配線、中継部材４内の配線、コード８内の配線を介して送受信機５に送られ、更に、送受信機５から無線で作業センター内の通信装置９に送信される。これにより、作業センターに設置されたスピーカから、作業者が発する音声が出力され、作業センターに設置されたモニタに、作業者の周囲の状況や作業者の顔の映像が表示される。
【００２７】
一方、作業センター内の担当者から作業者に発した音声に対応する音声信号は、通信装置９から無線でマイクセットの送受信機５に送信され、更に、送受信機５からコード８内の配線、中継部材４内の配線、コード７内の配線を介してイヤホン２に送られる。これにより、作業者はマイクセットのイヤホン２を介して、作業センター内の担当者が発した音声を聞くことができる。
【００２８】
図２はマイクセットの小型カメラ一体型マイク３の外観及び使用状態を説明するための図であり、（Ａ）はカメラ部１２を顔と対向する側に向けた状態を示す図、（Ｂ）はカメラ部１２を反対側に向けた状態を示す図である。
【００２９】
小型カメラ一体型マイク３は、フレキシブルアーム６の端部に装着されており、２つのマイク部１０、１１とカメラ部１２を備えている。小型カメラ一体型マイク３は、破線矢印で示すように、小型カメラ一体型マイク３の長手方向中心線を回転軸として１８０度回転可能に構成されている。マイク部１０は、カメラ部１２の撮影レンズが配設されている側に配設され、マイク部１１は、マイク部１０とは反対側に配設されている。なお、マイクセットは、小型カメラ一体型マイク３を用いて自分の顔を撮影しながら会話を行う、インターネット電話による使用形態も可能に構成されている。
【００３０】
次に、上記構成を有するマイクセットの使用例を説明する。
【００３１】
作業者はマイクセットの首掛けバンド１を首に掛け、イヤホン２を耳に装着し、送受信機５を作業服のポケットやベルト等に装着する。作業センターからの作業者に対する音声による指示（音声信号）は、通信装置９から無線でマイクセットの送受信機５に送信され、送受信機５からコード８、中継部材４、コード７を介してイヤホン２に送られる。これにより、マイクセットのイヤホン２を介して、作業センターからの指示が作業者に通知される。
【００３２】
作業者が作業現場の状況を撮影しながら自分の音声を入力する場合は、小型カメラ一体型マイク３を図２（Ｂ）に示す状態に設定し、カメラ部１２を作業者の顔とは反対側に向けた状態で撮影を行うと共に、作業現場の状況をマイク部１１から音声で入力する。これにより、作業者は撮影した作業現場の映像を作業センターに伝送する映像通信を行いながら、作業現場の状況を作業センターに通知するなどの音声通話を行うことができる。
【００３３】
また、作業者が自分の顔を撮影しながら自分の音声を入力する場合は、小型カメラ一体型マイク３を図２（Ｂ）の状態から１８０度回転させて図２（Ａ）に示す状態に設定し、カメラ部１２を作業者の顔と対向する側に向けた状態で撮影を行うと共に、マイク部１０から作業者の音声を入力する。これにより、作業者は撮影した自分の顔の映像を作業センターに伝送する映像通信を行いながら、作業現場の状況を作業センターに通知するなどの音声通話を行うことができる。
【００３４】
上述したように、第１の実施の形態のマイクセットによれば、小型カメラ一体型マイク３をフレキシブルアーム６により支持すると共に、小型カメラ一体型マイク３を１８０度回転可能な構造としているため、現場などの作業者の周囲の状況の他、作業者の顔を撮像するように小型カメラ一体型マイク３の位置や方向を自在に設定することができる。
また、マイク部１０，１１を介して、作業者が発した音声の他、周囲の音も効率的に入力できる。
【００３５】
また、例えば作業者の周囲の状況を撮影する場合などにおいては、撮影方向を細かく設定することができ、また、例えば撮影対象が作業者の頭上にある場合や撮影対象が狭い場所にある場合などにおいても、作業者に負担をかけることなく音声通話と映像通信を行うことができ、使い勝手も良いという効果が得られる。
【００３６】
マイクセットを上記のような情報通信用途或いはインカムなどに使用する場合は、小型カメラ一体型マイク３のカメラ部１２を様々な方向に向けて周囲の状況を撮影することで撮影した映像を伝送しながら、カメラ部１２と反対側に配設されたマイク部１１により音声通話を行うことができる。
【００３７】
また、マイクセットを例えばインターネット電話で使用する場合は、小型カメラ一体型マイク３のカメラ部１２を手前に向けて自分の顔を撮影しながら、カメラ部１２と同じ側に配設されたマイク部１０により相手と会話を行うことができる。
【００３８】
第２の実施の形態
第２の実施の形態は、請求項１〜請求項４、請求項６に対応する。
【００３９】
図３は第２の実施の形態のマイクセットの小型カメラ一体型マイク３３の外観及び使用状態を説明するための図であり、（Ａ）はカメラ部３２及びマイク部３０を顔と対向する側に向けた状態を示す図、（Ｂ）はカメラ部３２のみ１８０度回転させた状態を示す図、（Ｃ）はマイク部３０のみ１８０度回転させた状態を示す図である。
【００４０】
小型カメラ一体型マイク３３は、フレキシブルアーム６の端部に装着されており、それぞれ独立して回転可能なマイク部３０とカメラ部３２を備えている。小型カメラ一体型マイク３３のマイク部３０とカメラ部３２は、破線矢印で示すように、それぞれ小型カメラ一体型マイク３３の長手方向中心線を回転軸として１８０度回転可能に構成されている。これ以外の構成は第１の実施の形態と同じであり説明は省略する。
【００４１】
作業者が作業現場の状況を撮影しながら自分の音声を入力する場合は、小型カメラ一体型マイク３３のマイク部３０及びカメラ部３２を図３（Ｂ）に示す状態に設定し、カメラ部３２を作業者の顔とは反対側に向けた状態で撮影を行うと共に、作業現場の状況をマイク部３０から音声で入力する。これにより、作業者は撮影した作業現場の映像を作業センターに伝送する映像通信を行いながら、作業現場の状況を作業センターに通知するなどの音声通話を行うことができる。
【００４２】
また、作業者が自分の顔を撮影しながら自分の音声を入力する場合は、小型カメラ一体型マイク３３のカメラ部３２のみを図３（Ｂ）の状態から１８０度回転させて図３（Ａ）に示す状態に設定し、カメラ部３２を作業者の顔と対向する側に向けた状態で撮影を行うと共に、マイク部３０から作業者の音声を入力する。これにより、作業者は撮影した自分の顔の映像を作業センターに伝送する映像通信を行いながら、作業現場の状況を作業センターに通知するなどの音声通話を行うことができる。
【００４３】
また、作業者が自分の顔の撮影のみを行う場合は、小型カメラ一体型マイク３３のカメラ部３２及びマイク部３０を図３（Ｂ）の状態からそれぞれ１８０度回転させて図３（Ｃ）に示す状態に設定し、カメラ部３２を作業者の顔と対向する側に向けた状態で撮影を行う。これにより、作業者は撮影した自分の顔の映像を作業センターに伝送する映像通信を行うことができる。この場合、カメラ部３２とは反対側に向けたマイク部３０により、作業者の前方から発する音（例えば作業現場で発する異音など）を集音し、作業センターに報知することができる。
【００４４】
上述したように、第２の実施の形態のマイクセットによれば、小型カメラ一体型マイク３３をフレキシブルアーム６により支持すると共に、小型カメラ一体型マイク３３のマイク部３０及びカメラ部３２をそれぞれ独立させて１８０度回転可能な構造としているため、マイク部３０及びカメラ部３２の位置や方向を自在に設定することができ、これにより、現場などの作業者の周囲の状況の他、作業者の顔を撮像するように小型カメラ一体型マイク３３の位置や方向を自在に設定することができる。また、マイク部３０，３１を介して、カメラ部３２の回転角度とは独立して、作業者が発した音声の他、周囲の音も効率的に入力できる。
【００４５】
第３の実施の形態
第３の実施の形態は、請求項１、請求項３、請求項４、請求項７に対応する。
【００４６】
図４は第３の実施の形態のマイクセットの小型カメラ一体型マイク４３の外観及び使用状態を説明するための図であり、（Ａ）はカメラ部４２を顔と対向する側に向けた状態を示す図、（Ｂ）はカメラ部４２の背面側のモニタ４４を顔と対向する側に向けた状態を示す図である。
【００４７】
小型カメラ一体型マイク４３は、フレキシブルアーム６の端部に装着されており、２つのマイク部４０、４１とカメラ部４２とモニタ４４を備えている。小型カメラ一体型マイク４３は、破線矢印で示すように、小型カメラ一体型マイク４３の長手方向中心線を回転軸として１８０度回転可能に構成されている。マイク部４０は、カメラ部４２の撮影レンズが配設されている側に配設され、マイク部４１は、マイク部４０とは反対側に配設されている。モニタ４４は、カメラ部４２の撮影レンズが配設されている側とは反対側に配設されている。これ以外の構成は第１の実施の形態と同じであり説明は省略する。
【００４８】
作業者が作業現場の状況を撮影しながら自分の音声を入力する場合は、小型カメラ一体型マイク４３を図４（Ｂ）に示す状態に設定し、カメラ部４２を作業者の顔とは反対側に向けた状態で撮影を行うと共に、作業現場の状況をマイク部４１から音声で入力する。この状態では、モニタ４４は作業者の顔と対向する側を向いている。これにより、作業者はモニタ４４で確認しながら撮影した作業現場の映像を作業センターに伝送する映像通信を行いながら、作業現場の状況を作業センターに通知するなどの音声通話を行うことができる。
【００４９】
また、作業者が自分の顔を撮影しながら自分の音声を入力する場合は、小型カメラ一体型マイク４３を図４（Ｂ）の状態から１８０度回転させて図４（Ａ）に示す状態に設定し、カメラ部４２を作業者の顔と対向する側に向けた状態で撮影を行うと共に、マイク部４０から作業者の音声を入力する。これにより、作業者は撮影した自分の顔の映像を作業センターに伝送する映像通信を行いながら、作業現場の状況を作業センターに通知するなどの音声通話を行うことができる。
【００５０】
上述したように、第３の実施の形態のマイクセットによれば、小型カメラ一体型マイク４３をフレキシブルアーム６により支持すると共に、小型カメラ一体型マイク４３を１８０度回転可能とし、更にカメラ部４２の反対側にモニタ４４を配設した構造としているため、小型カメラ一体型マイク４３の位置や方向を自在に設定することができ、これにより、現場などの作業者の周囲の状況の他、作業者の顔を撮像するように小型カメラ一体型マイク４３の位置や方向を自在に設定することができる。
また、マイク部４０，４１を介して、作業者が発した音声の他、周囲の音も効率的に入力できる。
さらに、モニタ４４で映像を確認しながら撮影方向を細かく設定することができると共に、作業者に負担をかけることなく音声通話と映像通信を行うことができ、使い勝手も良いという効果がある。
【００５１】
第４の実施の形態
第４の実施の形態は、請求項１〜請求項４、請求項８に対応する。
【００５２】
図５は第４の実施の形態のマイクセットの小型カメラ一体型マイク５３の外観及び使用状態を説明するための図であり、（Ａ）はカメラ部５２を顔と対向する側に向けた状態を示す図、（Ｂ）はカメラ部５２の背面側のモニタ５４を顔と対向する側に向けた状態を示す図、（Ｃ）はマイク部５０のみを１８０度回転させた状態を示す図である。
【００５３】
小型カメラ一体型マイク５３は、フレキシブルアーム６の端部に装着されており、それぞれ独立して回転可能なマイク部５０と、モニタ５４を有するカメラ部５２を備えている。小型カメラ一体型マイク５３のマイク部５０とカメラ部５２は、破線矢印で示すように、それぞれ小型カメラ一体型マイク５３の長手方向中心線を回転軸として１８０度回転可能に構成されている。また、モニタ５４は、カメラ部５２の撮影レンズが配設されている側とは反対側に配設されている。これ以外の構成は第１の実施の形態と同じであり説明は省略する。
【００５４】
作業者が作業現場の状況を撮影しながら自分の音声を入力する場合は、小型カメラ一体型マイク５３のマイク部５０及びカメラ部５２を図５（Ｂ）に示す状態に設定し、カメラ部５２を作業者の顔とは反対側に向けた状態で撮影を行うと共に、作業現場の状況をマイク部５０から音声で入力する。この状態では、モニタ５４は作業者の顔と対向する側を向いている。これにより、作業者はモニタ５４で確認しながら撮影した作業現場の映像を作業センターに伝送する映像通信を行いながら、作業現場の状況を作業センターに通知するなどの音声通話を行うことができる。
【００５５】
また、作業者が自分の顔を撮影しながら自分の音声を入力する場合は、小型カメラ一体型マイク５３のカメラ部５２のみを図５（Ｂ）の状態から１８０度回転させて図５（Ａ）に示す状態に設定し、カメラ部５２を作業者の顔と対向する側に向けた状態で撮影を行うと共に、マイク部５０から作業者の音声を入力する。これにより、作業者は撮影した自分の顔の映像を作業センターに伝送する映像通信を行いながら、作業現場の状況を作業センターに通知するなどの音声通話を行うことができる。
また、図５（Ｃ）に示すように、マイク部５０のみを１８０度回転させて、周囲の音を効率的に入力することもできる。
【００５６】
上述したように、第４の実施の形態のマイクセットによれば、小型カメラ一体型マイク５３をフレキシブルアーム６により支持すると共に、小型カメラ一体型マイク５３のマイク部５０及びカメラ部５２をそれぞれ独立させて１８０度回転可能とし、更にカメラ部５２の反対側にモニタ５４を配設した構造としているため、マイク部５０及びカメラ部５２の位置や方向を自在に設定することができ、これにより、モニタ５４で映像を確認しながら撮影方向を細かく設定することができると共に、作業者に負担をかけることなく音声通話と映像通信を行うことができ、使い勝手も良いという効果がある。
【００５７】
第５の実施の形態
第５の実施の形態は、請求項１〜請求項５に対応する。
【００５８】
図６は第５の実施の形態のマイクセットの全体構成を示す図である。マイクセットは、ヘッドバンド６１に、ヘッドフォン６２、小型カメラ一体型マイク３、送受信機５等が配設された構造となっている。
【００５９】
ヘッドバンド６１は、湾曲した形状を有しており、作業者の頭部に装着される。ヘッドバンド６１の一方の端部には、ヘッドフォン６２が装着されている。ヘッドフォン６２には、フレキシブルアーム６を介して小型カメラ一体型マイク３が、コード８を介して送受信機５が、それぞれ接続されている。小型カメラ一体型マイク３は、第１の実施の形態と同様に、マイク部１０、１１とカメラ部１２を備えており、小型カメラ一体型マイク３の長手方向中心線を回転軸として１８０度回転可能に構成されている（図２参照）。
【００６０】
小型カメラ一体型マイク３のマイク部１０または１１から入力された音声信号、及びカメラ部１２による撮影に伴う映像信号は、フレキシブルアーム６内の配線、ヘッドフォン６２内の配線、コード８内の配線を介して送受信機５に送られ、更に、送受信機５から無線で作業センター内の通信装置９に送信される。これにより、作業者は撮影した作業現場や自分の顔の映像を作業センターに伝送する映像通信を行いながら、作業現場の状況を作業センターに通知するなどの音声通話を行うことができる。
【００６１】
一方、作業センター内の担当者から作業者に発した音声に対応する音声信号は、通信装置９から無線でマイクセットの送受信機５に送信され、更に、送受信機５からコード８内の配線を介してヘッドフォン６２に送られる。これにより、作業者はマイクセットのヘッドフォン６２を介して、作業センター内の担当者が発した音声を聞くことができる。
【００６２】
上述したように、第５の実施の形態のマイクセットによれば、小型カメラ一体型マイク３をフレキシブルアーム６により支持すると共に、小型カメラ一体型マイク３を１８０度回転可能な構造としているため、小型カメラ一体型マイク３の位置や方向を自在に設定することができ、これにより、撮影方向を細かく設定することができると共に、作業者に負担をかけることなく音声通話と映像通信を行うことができ、使い勝手も良いという効果がある。
【００６３】
なお、第５の実施の形態では、小型カメラ一体型マイクを図２に示す構造としたが、図２に示す構造に限らず、図３または図４または図５に示す構造のいずれを採用してもよい。
【００６４】
【発明の効果】
以上説明したように、請求項１の発明によれば、マイクセットの周囲の他、マイクセットを装着したユーザの顔も撮像できる。
また、請求項１の発明によれば、マイクセットの装着手段をユーザの身体に装着した状態において、マイク及びカメラは装着手段に設けられた保持手段により保持されると共に、カメラは所定の回転軸を中心に回転可能であるため、ユーザはカメラを任意の撮影方向に向けて撮影を行いながらマイクから音声を入力することができる。これにより、例えばユーザの周囲の状況を撮影する場合などにおいては、撮影方向を細かく設定することができ、また、例えば撮影対象がユーザの頭上にある場合や撮影対象が狭い場所にある場合などにおいても、ユーザに負担をかけることなく音声入力と撮影を行うことができ、使い勝手も良いという効果が得られる。
【００６５】
請求項２の発明によれば、カメラが回転軸を中心とした何れの回転角度にあっても、マイクはユーザ側に位置するように保持手段に保持されるため、ユーザはカメラで撮影を行いながらマイクから音声を入力することができる。
【００６６】
請求項３の発明によれば、マイク及びカメラは可撓性を有する曲げ伸ばし可能な保持手段に保持されるため、マイク及びカメラの位置や方向を自在に設定することができる。
【００６７】
請求項４の発明によれば、ユーザがマイクから入力した音声とカメラで撮影した映像が送受信手段により外部に送信され、外部から送信された音声が送受信手段により受信され、音声出力手段により出力されるため、ユーザは外部との間で音声通話及び映像通信を行うことができる。
【００６８】
請求項５の発明によれば、マイクとカメラは一体化された状態で設けられると共に、マイクはカメラの撮影レンズ側と背面側とにそれぞれ対応して設けられているため、ユーザはカメラの撮影方向を任意に設定して撮影を行うことができると共に、マイクから音声を入力することができる。
【００６９】
請求項６の発明によれば、マイクとカメラはそれぞれ独立した状態で設けられると共に、それぞれ独立して回転軸を中心に回転可能であるため、ユーザはカメラの撮影方向を任意に設定して撮影を行うことができると共に、マイクから音声を入力することができる。
【００７０】
請求項７の発明によれば、マイクとカメラは一体化された状態で設けられると共に、マイクはカメラの撮影レンズ側と背面側とにそれぞれ対応して設けられ、カメラの背面側にはモニタが設けられているため、ユーザはカメラの撮影方向を任意に設定してモニタで映像を確認しながら撮影を行うことができると共に、マイクから音声を入力することができる。
【００７１】
請求項８の発明によれば、マイクとカメラはそれぞれ独立した状態で設けられると共に、それぞれ独立して回転軸を中心に回転可能であり、カメラの背面側にはモニタが設けられているため、ユーザはカメラの撮影方向を任意に設定してモニタで映像を確認しながら撮影を行うことができると共に、マイクから音声を入力することができる。
【図面の簡単な説明】
【図１】本発明の第１の実施の形態のマイクセットの全体構成を示す図である。
【図２】第１の実施の形態のマイクセットの小型カメラ一体型マイクの外観及び使用状態を説明するための図であり、（Ａ）はカメラ部を顔と対向する側に向けた状態を示す図、（Ｂ）はカメラ部を反対側に向けた状態を示す図である。
【図３】第２の実施の形態のマイクセットの小型カメラ一体型マイクの外観及び使用状態を説明するための図であり、（Ａ）はカメラ部及びマイク部を顔と対向する側に向けた状態を示す図、（Ｂ）はカメラ部のみ１８０度回転させた状態を示す図、（Ｃ）はマイク部のみ１８０度回転させた状態を示す図である。
【図４】第３の実施の形態のマイクセットの小型カメラ一体型マイクの外観及び使用状態を説明するための図であり、（Ａ）はカメラ部を顔と対向する側に向けた状態を示す図、（Ｂ）はカメラ部の背面側のモニタを顔と対向する側に向けた状態を示す図である。
【図５】第４の実施の形態のマイクセットの小型カメラ一体型マイクの外観及び使用状態を説明するための図であり、（Ａ）はカメラ部を顔と対向する側に向けた状態を示す図、（Ｂ）はカメラ部の背面側のモニタを顔と対向する側に向けた状態を示す図、（Ｃ）はマイク部のみを１８０度回転させた状態を示す図である。
【図６】第５の実施の形態のマイクセットの全体構成を示す図である。
【符号の説明】
１  首掛けバンド
２  イヤホン
３、３３、４３、５３  小型カメラ一体型マイク
５  送受信機
９  通信装置
１０、１１、３０、４０、４１、５０  マイク部
１２、３２、４２、５２  カメラ部
４４、５４  モニタ
６１  ヘッドバンド
６２  ヘッドフォン
【図１】
2004356743.tif 000003
【図２】
2004356743.tif 000004
【図３】
2004356743.tif 000005
【図４】
2004356743.tif 000006
【図５】
2004356743.tif 000007
【図６】
2004356743.tif 000008